(57)【要約】【課題】表示画像における不自然さを増大させることなく表示輝度を均一にして画像表示品質を向上させる。【解決手段】表示電極対上に形成される画素のうち点灯させる画素の数を表示電極対毎かつサブフィールド毎に算出する点灯画素数算出部６０と、点灯画素数算出部６０における算出結果にもとづき各画素毎の負荷値を算出する負荷値算出部６１と、負荷値算出部６１における算出結果にもとづき各画素毎の補正ゲインを算出する補正ゲイン算出部６２と、補正ゲインにもとづき変化する補正値を算出する補正値算出部６３と、補正ゲインから補正値を減算した値と補正ゲインに補正値を加算した値とのいずれかをランダムに選択して出力する切換え部６７と、切換え部６７からの出力と入力画像信号とを乗算した結果を入力画像信号から減算して出力する補正部６９とを備えたローディング補正部７０を有する。【選択図】図８
2009186715.tif 000002
【特許請求の範囲】
【請求項１】
走査電極と維持電極とからなる表示電極対を有する放電セルを複数備えたプラズマディスプレイパネルと、
初期化期間と書込み期間と維持期間とを有するサブフィールドを１フィールド期間内に複数設け、入力画像信号を前記放電セルにおけるサブフィールド毎の発光・非発光を示す画像データに変換する画像信号処理回路とを備え、
前記画像信号処理回路は、
前記表示電極対上に形成される画素のうち点灯させる画素の数を前記表示電極対毎かつ前記サブフィールド毎に算出する点灯画素数算出部と、
前記点灯画素数算出部における算出結果にもとづき各画素毎の負荷値を算出する負荷値算出部と、
前記負荷値算出部における算出結果にもとづき各画素毎の補正ゲインを算出する補正ゲイン算出部と、
前記補正ゲイン算出部において算出された前記補正ゲインにもとづき変化する補正値を算出する補正値算出部と、
前記補正ゲイン算出部において算出された前記補正ゲインから前記補正値算出部において算出された前記補正値を減算した値と、前記補正ゲイン算出部において算出された前記補正ゲインに前記補正値算出部において算出された前記補正値を加算した値とのいずれかをランダムに選択して出力する切換え部と、
前記切換え部からの出力と前記入力画像信号とを乗算した結果を前記入力画像信号から減算して出力する補正部とを備えたことを特徴とするプラズマディスプレイ装置。
【請求項２】
前記負荷値算出部および前記補正ゲイン算出部は、
各画素の各サブフィールドにおける点灯状態を点灯を１、非点灯を０とし、
前記点灯画素数算出部において算出された結果と前記サブフィールド毎に設定された輝度重みと前記補正ゲインを算出する画素における前記点灯状態とを乗算してその総和を負荷値として算出し、かつ前記表示電極対上に形成される画素の数と、前記サブフィールド毎に設定された輝度重みと補正ゲインを算出する画素における前記点灯状態とを乗算してその総和を最大負荷値として算出し、前記最大負荷値から前記負荷値を減算してその減算結果を前記最大負荷値で除算することで前記補正ゲインを算出することを特徴とする請求項１に記載のプラズマディスプレイ装置。
【発明の詳細な説明】
【技術分野】
【０００１】
本発明は、壁掛けテレビや大型モニターに用いられるプラズマディスプレイ装置に関する。
【背景技術】
【０００２】
プラズマディスプレイパネル（以下、「パネル」と略記する）として代表的な交流面放電型パネルは、対向配置された前面板と背面板との間に多数の放電セルが形成されている。前面板は、１対の走査電極と維持電極とからなる表示電極対が前面ガラス基板上に互いに平行に複数対形成され、それら表示電極対を覆うように誘電体層および保護層が形成されている。背面板は、背面ガラス基板上に複数の平行なデータ電極と、それらを覆うように誘電体層と、さらにその上にデータ電極と平行に複数の隔壁とがそれぞれ形成され、誘電体層の表面と隔壁の側面とに蛍光体層が形成されている。そして、表示電極対とデータ電極とが立体交差するように前面板と背面板とが対向配置されて密封され、内部の放電空間には、例えば分圧比で５％のキセノンを含む放電ガスが封入されている。ここで表示電極対とデータ電極とが対向する部分に放電セルが形成される。このような構成のパネルにおいて、各放電セル内でガス放電により紫外線を発生させ、この紫外線で赤色（Ｒ）、緑色（Ｇ）および青色（Ｂ）の各色の蛍光体を励起発光させてカラー表示を行っている。
【０００３】
パネルを駆動する方法としては、サブフィールド法、すなわち、１フィールド期間を複数のサブフィールドに分割した上で、発光させるサブフィールドの組み合わせによって階調表示を行う方法が一般に用いられている。
【０００４】
各サブフィールドは、初期化期間、書込み期間および維持期間を有する。初期化期間では初期化放電を発生し、続く書込み動作に必要な壁電荷を各電極上に形成するとともに、書込み放電を安定して発生させるためのプライミング粒子（書込み放電を発生させるための励起粒子）を発生させる。
【０００５】
書込み期間では、走査電極に走査パルス電圧を印加するとともにデータ電極に選択的に書込みパルス電圧を印加して表示を行うべき放電セルに選択的に書込み放電を発生させ壁電荷を形成する（以下、この動作を「書込み」とも記す）。そして維持期間では、走査電極と維持電極とからなる表示電極対に交互に維持パルス電圧を印加し、書込み放電を起こした放電セルで維持放電を発生させ、対応する放電セルの蛍光体層を発光させることにより画像表示を行う。
【０００６】
また、サブフィールド法の中でも、緩やかに変化する電圧波形を用いて初期化放電を行い、さらに維持放電を行った放電セルに対して選択的に初期化放電を行うことで、階調表示に関係しない発光を極力減らしコントラスト比を向上させた駆動方法が開示されている。
【０００７】
具体的には、複数のサブフィールドのうち、１つのサブフィールドの初期化期間においては全ての放電セルに初期化放電を発生させる全セル初期化動作を行い、他のサブフィールドの初期化期間においては直前の維持期間で維持放電を行った放電セルにのみ初期化放電を発生させる選択初期化動作を行う。このように駆動することによって、画像の表示に関係のない発光に依存して変化する黒表示領域の輝度（以下、「黒輝度」と略記する）は全セル初期化動作における微弱発光だけとなり、コントラストの高い画像表示が可能となる（例えば、特許文献１参照）。
【０００８】
また、近年では、パネルの大画面、高精細化にともない、プラズマディスプレイ装置におけるさらなる表示品質の向上が望まれている。しかしながら、パネルにおいては、同一輝度の画像信号を入力しているのにもかかわらず各走査電極毎に駆動インピーダンスが異なると駆動電圧の電圧降下量に差が生じ、発光輝度に差が生じて表示画像の画質が低下するといった問題があった。
【０００９】
そこで、パネルにおける任意の画素に対して、同一の輝度の画像信号を入力して表示させる場合において、当該画素を含む表示電極対の駆動インピーダンスが変化したときに１フィールド内でのサブフィールドの点灯パターンを変化させる技術が開示されている（例えば、特許文献２参照）。
【特許文献１】特開２０００−２４２２２４号公報
【特許文献２】特開２００６−１８４８４３号公報
【発明の開示】
【発明が解決しようとする課題】
【００１０】
一方、パネルの大画面化、高精細化にともないパネルの駆動インピーダンスは増大する傾向にある。駆動インピーダンスが増大すると、点灯率（点灯すべき放電セルの割合）の変化による駆動インピーダンスの差が大きくなり、パネルの駆動回路から発生される駆動波形に生じるリンギング等の波形歪の変動量が大きくなりやすくなる。そのため、駆動インピーダンスの大きい表示電極対上にある放電セルと駆動インピーダンスの小さい表示電極対上にある放電セルとに生じる放電強度の差が拡大し、同じ階調値であるのにもかかわらず生じる発光輝度の差がさらに大きくなってしまうことがある。そして、このような発光輝度の差は、画像表示品質を大きく劣化させる一因となる。
【００１１】
また、特許文献２に開示された技術では、拡大された発光輝度の差を低減するために補正ゲインを大きくすると、例えば誤差拡散といったパネルの画像表示品質を向上させるために一般に用いられている処理を画像信号に施したときに、表示画像のノイズ感が増したように見えてしまうといった問題が生じ、表示画像における不自然さを増大させてしまう。
【００１２】
本発明はこのような課題に鑑みなされたものであり、表示画像における不自然さを増大させることなく表示輝度を均一にして画像表示品質を向上させたプラズマディスプレイ装置を提供することを目的とする。
【課題を解決するための手段】
【００１３】
本発明のプラズマディスプレイ装置は、走査電極と維持電極とからなる表示電極対を有する放電セルを複数備えたパネルと、初期化期間と書込み期間と維持期間とを有するサブフィールドを１フィールド期間内に複数設け、入力画像信号を放電セルにおけるサブフィールド毎の発光・非発光を示す画像データに変換する画像信号処理回路とを備え、画像信号処理回路は、表示電極対上に形成される画素のうち点灯させる画素の数を表示電極対毎かつサブフィールド毎に算出する点灯画素数算出部と、点灯画素数算出部における算出結果にもとづき各画素毎の負荷値を算出する負荷値算出部と、負荷値算出部における算出結果にもとづき各画素毎の補正ゲインを算出する補正ゲイン算出部と、補正ゲイン算出部において算出された補正ゲインにもとづき変化する補正値を算出する補正値算出部と、補正ゲイン算出部において算出された補正ゲインから補正値算出部において算出された補正値を減算した値と、補正ゲイン算出部において算出された補正ゲインに補正値算出部において算出された補正値を加算した値とのいずれかをランダムに選択して出力する切換え部と、切換え部からの出力と入力画像信号とを乗算した結果を入力画像信号から減算して出力する補正部とを備えたことを特徴とする。
【００１４】
これにより、表示画像における不自然さを増大させることなく表示輝度を均一にしてローディング現象の発生を抑え、プラズマディスプレイ装置における画像表示品質を向上させることが可能となる。
【００１５】
また、このプラズマディスプレイ装置において、負荷値算出部および補正ゲイン算出部は、各画素の各サブフィールドにおける点灯状態を点灯を１、非点灯を０とし、点灯画素数算出部において算出された結果とサブフィールド毎に設定された輝度重みと補正ゲインを算出する画素における点灯状態とを乗算してその総和を負荷値として算出し、かつ表示電極対上に形成される画素の数と、サブフィールド毎に設定された輝度重みと補正ゲインを算出する画素における点灯状態とを乗算してその総和を最大負荷値として算出し、最大負荷値から負荷値を減算してその減算結果を最大負荷値で除算することで補正ゲインを算出することを特徴とする。これにより、ローディング現象で予想される発光輝度の上昇に応じた補正ゲインを精度良く算出することが可能となる。
【発明の効果】
【００１６】
本発明によれば、表示画像における不自然さを増大させることなく表示輝度を均一にして画像表示品質を向上させたプラズマディスプレイ装置を提供することが可能となる。
【発明を実施するための最良の形態】
【００１７】
以下、本発明の実施の形態におけるプラズマディスプレイ装置について、図面を用いて説明する。
【００１８】
（実施の形態）
図１は、本発明の一実施の形態におけるパネル１０の構造を示す分解斜視図である。ガラス製の前面板２１上には、走査電極２２と維持電極２３とからなる表示電極対２４が複数形成されている。そして走査電極２２と維持電極２３とを覆うように誘電体層２５が形成され、その誘電体層２５上に保護層２６が形成されている。
【００１９】
また、保護層２６は、放電セルにおける放電開始電圧を下げるために、パネルの材料として使用実績があり、ネオン（Ｎｅ）およびキセノン（Ｘｅ）ガスを封入した場合に２次電子放出係数が大きく耐久性に優れたＭｇＯを主成分とする材料から形成されている。
【００２０】
背面板３１上にはデータ電極３２が複数形成され、データ電極３２を覆うように誘電体層３３が形成され、さらにその上に井桁状の隔壁３４が形成されている。そして、隔壁３４の側面および誘電体層３３上には赤色（Ｒ）、緑色（Ｇ）および青色（Ｂ）の各色に発光する蛍光体層３５が設けられている。
【００２１】
これら前面板２１と背面板３１とは、微小な放電空間を挟んで表示電極対２４とデータ電極３２とが交差するように対向配置され、その外周部をガラスフリット等の封着材によって封着されている。そして、内部の放電空間には、ネオンとキセノンの混合ガスが放電ガスとして封入されている。なお、本実施の形態では、発光効率を向上させるためにキセノン分圧を約１０％とした放電ガスを用いている。放電空間は隔壁３４によって複数の区画に仕切られており、表示電極対２４とデータ電極３２とが交差する部分に放電セルが形成されている。そしてこれらの放電セルが放電、発光することにより画像が表示される。なお、Ｒ・Ｇ・Ｂの各色で発光する３つの放電セルで１つの画素が構成される。
【００２２】
なお、パネル１０の構造は上述したものに限られるわけではなく、例えばストライプ状の隔壁を備えたものであってもよい。また、放電ガスの混合比率も上述した数値に限られるわけではなく、その他の混合比率であってもよい。
【００２３】
図２は、本発明の一実施の形態におけるパネル１０の電極配列図である。パネル１０には、行方向に長いｎ本の走査電極ＳＣ１〜走査電極ＳＣｎ（図１の走査電極２２）およびｎ本の維持電極ＳＵ１〜維持電極ＳＵｎ（図１の維持電極２３）が配列され、列方向に長いｍ本のデータ電極Ｄ１〜データ電極Ｄｍ（図１のデータ電極３２）が配列されている。そして、１対の走査電極ＳＣｉ（ｉ＝１〜ｎ）および維持電極ＳＵｉと１つのデータ電極Ｄｊ（ｊ＝１〜ｍ）とが交差した部分に放電セルが形成され、放電セルは放電空間内にｍ×ｎ個形成されている。そして、ｍ×ｎ個の放電セルが形成された領域がパネル１０の表示領域となる。
【００２４】
次に、パネル１０を駆動するための駆動電圧波形とその動作の概要について説明する。本実施の形態におけるプラズマディスプレイ装置は、サブフィールド法、すなわち１フィールド期間を複数のサブフィールドに分割し、サブフィールド毎に各放電セルの発光・非発光を制御することによって階調表示を行う。それぞれのサブフィールドは、初期化期間、書込み期間および維持期間を有する。
【００２５】
各サブフィールドにおいて、初期化期間では初期化放電を発生し、続く書込み放電に必要な壁電荷を各電極上に形成する。加えて、放電遅れを小さくし書込み放電を安定して発生させるためのプライミング粒子（放電のための起爆剤＝励起粒子）を発生させるという働きを持つ。このときの初期化動作には、全ての放電セルで初期化放電を発生させる全セル初期化動作と、直前のサブフィールドで維持放電を行った放電セルだけで選択的に初期化放電を発生させる選択初期化動作とがある。
【００２６】
書込み期間では、後に続く維持期間において発光させるべき放電セルで選択的に書込み放電を発生し壁電荷を形成する。そして維持期間では、輝度重みに比例した数の維持パルスを表示電極対２４に交互に印加して、書込み放電を発生した放電セルで維持放電を発生させて発光させる。このときの比例定数を「輝度倍率」と呼ぶ。
【００２７】
本実施の形態では、１フィールドを１０のサブフィールド（第１ＳＦ、第２ＳＦ、・・・、第１０ＳＦ）で構成し、各サブフィールドはそれぞれ、例えば（１、２、３、６、１１、１８、３０、４４、６０、８１）の輝度重みを持つものとする。そして、第１ＳＦの初期化期間では全セル初期化動作を行い、第２ＳＦ〜第１０ＳＦの初期化期間では選択初期化動作を行うものとする。これにより、画像の表示に関係のない発光は第１ＳＦにおける全セル初期化動作の放電にともなう発光のみとなり、維持放電を発生させない黒表示領域の輝度である黒輝度は全セル初期化動作における微弱発光だけとなって、コントラストの高い画像表示が可能となる。また、各サブフィールドの維持期間においては、それぞれのサブフィールドの輝度重みに所定の輝度倍率を乗じた数の維持パルスを表示電極対２４のそれぞれに印加する。
【００２８】
しかし、本実施の形態は、サブフィールド数や各サブフィールドの輝度重みが上記の値に限定されるものではなく、また、画像信号等にもとづいてサブフィールド構成を切換える構成であってもよい。
【００２９】
図３は、本発明の一実施の形態におけるパネル１０の各電極に印加する駆動電圧波形図である。図３には、２つのサブフィールドの駆動電圧波形、すなわち全セル初期化動作を行うサブフィールド（以下、「全セル初期化サブフィールド」と呼称する）の第１サブフィールド（第１ＳＦ）と、選択初期化動作を行うサブフィールド（以下、「選択初期化サブフィールド」と呼称する）の第２サブフィールド（第２ＳＦ）とを示しているが、他のサブフィールドにおける駆動電圧波形もほぼ同様である。また、以下における走査電極ＳＣｉ、維持電極ＳＵｉ、データ電極Ｄｋは、各電極の中から画像データにもとづき選択された電極を表す。
【００３０】
まず、全セル初期化サブフィールドである第１ＳＦについて説明する。
【００３１】
第１ＳＦの初期化期間前半部では、データ電極Ｄ１〜データ電極Ｄｍ、維持電極ＳＵ１〜維持電極ＳＵｎにそれぞれ０（Ｖ）を印加し、走査電極ＳＣ１〜走査電極ＳＣｎには、維持電極ＳＵ１〜維持電極ＳＵｎに対して放電開始電圧以下の電圧Ｖｉ１から、放電開始電圧を超える電圧Ｖｉ２に向かって緩やかに上昇する傾斜波形電圧（以下、「上りランプ波形電圧」と呼称する）を印加する。
【００３２】
なお、本実施の形態では、この上りランプ波形電圧を約１．３Ｖ／μｓｅｃの勾配にして発生させている。
【００３３】
この上りランプ波形電圧が上昇する間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部に負の壁電圧が蓄積されるとともに、データ電極Ｄ１〜データ電極Ｄｍ上部および維持電極ＳＵ１〜維持電極ＳＵｎ上部には正の壁電圧が蓄積される。この電極上部の壁電圧とは、電極を覆う誘電体層上、保護層上、蛍光体層上等に蓄積された壁電荷により生じる電圧を表す。
【００３４】
初期化期間後半部では、維持電極ＳＵ１〜維持電極ＳＵｎには正の電圧Ｖｅ１を印加し、データ電極Ｄ１〜データ電極Ｄｍには０（Ｖ）を印加し、走査電極ＳＣ１〜走査電極ＳＣｎには、維持電極ＳＵ１〜維持電極ＳＵｎに対して放電開始電圧以下となる電圧Ｖｉ３から放電開始電圧を超える電圧Ｖｉ４に向かって緩やかに下降する傾斜波形電圧（以下、「下りランプ波形電圧」と呼称する）を印加する。この間に、走査電極ＳＣ１〜走査電極ＳＣｎと維持電極ＳＵ１〜維持電極ＳＵｎ、データ電極Ｄ１〜データ電極Ｄｍとの間でそれぞれ微弱な初期化放電が持続して起こる。そして、走査電極ＳＣ１〜走査電極ＳＣｎ上部の負の壁電圧および維持電極ＳＵ１〜維持電極ＳＵｎ上部の正の壁電圧が弱められ、データ電極Ｄ１〜データ電極Ｄｍ上部の正の壁電圧は書込み動作に適した値に調整される。以上により、全ての放電セルに対して初期化放電を行う全セル初期化動作が終了する。
【００３５】
なお、図３の第２ＳＦの初期化期間に示したように、初期化期間の前半部を省略した駆動電圧波形を各電極に印加してもよい。すなわち、維持電極ＳＵ１〜維持電極ＳＵｎに電圧Ｖｅ１を、データ電極Ｄ１〜データ電極Ｄｍに０（Ｖ）をそれぞれ印加し、走査電極ＳＣ１〜走査電極ＳＣｎに放電開始電圧以下となる電圧（例えば、０（Ｖ））から電圧Ｖｉ４に向かって緩やかに下降する下りランプ波形電圧を印加する。これにより前のサブフィールドの維持期間で維持放電を起こした放電セルでは微弱な初期化放電が発生し、走査電極ＳＣｉ上部および維持電極ＳＵｉ上部の壁電圧が弱められる。また直前の維持放電によってデータ電極Ｄｋ（ｋ＝１〜ｍ）上部に十分な正の壁電圧が蓄積されている放電セルでは、この壁電圧の過剰な部分が放電され書込み動作に適した壁電圧に調整される。一方、前のサブフィールドで維持放電を起こさなかった放電セルについては放電することはなく、前のサブフィールドの初期化期間終了時における壁電荷がそのまま保たれる。このように前半部を省略した初期化動作は、直前のサブフィールドの維持期間で維持動作を行った放電セルに対して初期化放電を行う選択初期化動作となる。
【００３６】
続く書込み期間では、走査電極ＳＣ１〜走査電極ＳＣｎに対しては順次走査パルス電圧を印加し、データ電極Ｄ１〜データ電極Ｄｍに対しては発光させるべき放電セルに対応するデータ電極Ｄｋ（ｋ＝１〜ｍ）に正の書込みパルス電圧Ｖｄを印加して、各放電セルに選択的に書込み放電を発生させる。
【００３７】
書込み期間では、まず維持電極ＳＵ１〜維持電極ＳＵｎに電圧Ｖｅ２を、走査電極ＳＣ１〜走査電極ＳＣｎに電圧Ｖｃを印加する。
【００３８】
そして、１行目の走査電極ＳＣ１に負の走査パルス電圧Ｖａを印加するとともに、データ電極Ｄ１〜データ電極Ｄｍのうち１行目に発光させるべき放電セルのデータ電極Ｄｋ（ｋ＝１〜ｍ）に正の書込みパルス電圧Ｖｄを印加する。このときデータ電極Ｄｋ上と走査電極ＳＣ１上との交差部の電圧差は、外部印加電圧の差（Ｖｄ−Ｖａ）にデータ電極Ｄｋ上の壁電圧と走査電極ＳＣ１上の壁電圧との差が加算されたものとなり放電開始電圧を超える。これにより、データ電極Ｄｋと走査電極ＳＣ１との間に放電が発生する。また、維持電極ＳＵ１〜維持電極ＳＵｎに電圧Ｖｅ２を印加しているため、維持電極ＳＵ１上と走査電極ＳＣ１上との電圧差は、外部印加電圧の差である（Ｖｅ２−Ｖａ）に維持電極ＳＵ１上の壁電圧と走査電極ＳＣ１上の壁電圧との差が加算されたものとなる。このとき、電圧Ｖｅ２を、放電開始電圧をやや下回る程度の電圧値に設定することで、維持電極ＳＵ１と走査電極ＳＣ１との間を、放電には至らないが放電が発生しやすい状態とすることができる。これにより、データ電極Ｄｋと走査電極ＳＣ１との間に発生する放電を引き金にして、データ電極Ｄｋと交差する領域にある維持電極ＳＵ１と走査電極ＳＣ１との間に放電を発生させることができる。こうして、発光させるべき放電セルに書込み放電が起こり、走査電極ＳＣ１上に正の壁電圧が蓄積され、維持電極ＳＵ１上に負の壁電圧が蓄積され、データ電極Ｄｋ上にも負の壁電圧が蓄積される。
【００３９】
このようにして、１行目に発光させるべき放電セルで書込み放電を起こして各電極上に壁電圧を蓄積する書込み動作が行われる。一方、書込みパルス電圧Ｖｄを印加しなかったデータ電極Ｄ１〜データ電極Ｄｍと走査電極ＳＣ１との交差部の電圧は放電開始電圧を超えないので、書込み放電は発生しない。以上の書込み動作をｎ行目の放電セルに至るまで行い、書込み期間が終了する。
【００４０】
続く維持期間では、まず走査電極ＳＣ１〜走査電極ＳＣｎに正の維持パルス電圧Ｖｓを印加するとともに維持電極ＳＵ１〜維持電極ＳＵｎにベース電位となる接地電位、すなわち０（Ｖ）を印加する。すると書込み放電を起こした放電セルでは、走査電極ＳＣｉ上と維持電極ＳＵｉ上との電圧差が維持パルス電圧Ｖｓに走査電極ＳＣｉ上の壁電圧と維持電極ＳＵｉ上の壁電圧との差が加算されたものとなり放電開始電圧を超える。
【００４１】
そして、走査電極ＳＣｉと維持電極ＳＵｉとの間に維持放電が起こり、このとき発生した紫外線により蛍光体層３５が発光する。そして走査電極ＳＣｉ上に負の壁電圧が蓄積され、維持電極ＳＵｉ上に正の壁電圧が蓄積される。さらにデータ電極Ｄｋ上にも正の壁電圧が蓄積される。書込み期間において書込み放電が起きなかった放電セルでは維持放電は発生せず、初期化期間の終了時における壁電圧が保たれる。
【００４２】
続いて、走査電極ＳＣ１〜走査電極ＳＣｎにはベース電位となる０（Ｖ）を、維持電極ＳＵ１〜維持電極ＳＵｎには維持パルス電圧Ｖｓをそれぞれ印加する。すると、維持放電を起こした放電セルでは、維持電極ＳＵｉ上と走査電極ＳＣｉ上との電圧差が放電開始電圧を超えるので再び維持電極ＳＵｉと走査電極ＳＣｉとの間に維持放電が起こり、維持電極ＳＵｉ上に負の壁電圧が蓄積され走査電極ＳＣｉ上に正の壁電圧が蓄積される。以降同様に、走査電極ＳＣ１〜走査電極ＳＣｎと維持電極ＳＵ１〜維持電極ＳＵｎとに交互に輝度重みに輝度倍率を乗じた数の維持パルスを印加し、表示電極対２４の電極間に電位差を与えることにより、書込み期間において書込み放電を起こした放電セルで維持放電が継続して行われる。
【００４３】
そして、維持期間の最後には、走査電極ＳＣ１〜走査電極ＳＣｎに、ベース電位となる０（Ｖ）から電圧Ｖｅｒｓに向かって緩やかに（例えば、約１０Ｖ／μｓｅｃの勾配で）上昇する傾斜波形電圧（以下、「消去ランプ波形電圧」と呼称する）を印加する。これにより、微弱な放電を持続して発生させ、データ電極Ｄｋ上の正の壁電圧を残したまま、走査電極ＳＣｉおよび維持電極ＳＵｉ上の壁電圧の一部または全部を消去している。この消去ランプ波形電圧によって発生させる維持期間の最後の放電を「消去放電」と呼称する。
【００４４】
続くサブフィールドの動作は、維持期間の維持パルスの数を除いて上述の動作とほぼ同様であるため説明を省略する。以上が、本実施の形態におけるパネル１０の各電極に印加する駆動電圧波形の概要である。
【００４５】
次に、本実施の形態におけるプラズマディスプレイ装置の構成について説明する。図４は、本発明の一実施の形態におけるプラズマディスプレイ装置の回路ブロック図である。プラズマディスプレイ装置１は、パネル１０、画像信号処理回路４１、データ電極駆動回路４２、走査電極駆動回路４３、維持電極駆動回路４４、タイミング発生回路４５および各回路ブロックに必要な電源を供給する電源回路（図示せず）を備えている。
【００４６】
画像信号処理回路４１は、入力された画像信号ｓｉｇを放電セルにおけるサブフィールド毎の発光・非発光を示す画像データに変換する。
【００４７】
タイミング発生回路４５は、水平同期信号Ｈおよび垂直同期信号Ｖにもとづき各回路ブロックの動作を制御する各種のタイミング信号を発生し、それぞれの回路ブロックへ供給する。
【００４８】
走査電極駆動回路４３は、初期化期間において走査電極ＳＣ１〜走査電極ＳＣｎに印加する初期化波形電圧を発生するための初期化波形発生回路（図示せず）、維持期間において走査電極ＳＣ１〜走査電極ＳＣｎに印加する維持パルスを発生するための維持パルス発生回路（図示せず）、複数の走査ＩＣを備え書込み期間において走査電極ＳＣ１〜走査電極ＳＣｎに印加する走査パルス電圧を発生するための走査パルス発生回路（図示せず）を有する。そして、タイミング信号にもとづいて各走査電極ＳＣ１〜走査電極ＳＣｎをそれぞれ駆動する。
【００４９】
データ電極駆動回路４２は、サブフィールド毎の画像データを各データ電極Ｄ１〜データ電極Ｄｍに対応する信号に変換し、タイミング信号にもとづいて各データ電極Ｄ１〜データ電極Ｄｍを駆動する。
【００５０】
維持電極駆動回路４４は、維持パルス発生回路（図示せず）および電圧Ｖｅ１、電圧Ｖｅ２を発生するための回路（図示せず）を備え、タイミング信号にもとづいて維持電極ＳＵ１〜維持電極ＳＵｎを駆動する。
【００５１】
次に、駆動負荷の変化により生じる発光輝度の差について説明する。
【００５２】
図５は、駆動負荷の変化により生じる発光輝度の差を説明するための概略図である。図５（ａ）は、一般に「ウインドウパターン」と呼ばれる画像を示したものである。図面に示す領域Ｂおよび領域Ｄは同じ輝度の階調値（例えば、２０％）の領域であり、領域Ｃは領域Ｂおよび領域Ｄよりも輝度の階調値が低い（例えば、５％）領域である（以下、輝度の階調値を単に「階調値」とも記す）。
【００５３】
図５（ｂ）は、図５（ａ）に示した「ウインドウパターン」をパネル１０に表示したときの表示画像を概略的に示したものである。なお、図５（ｂ）において表示電極対２４は図２に示したパネル１０と同様に行方向（図面では、横方向）に延長して配列されているものとする。また、図５（ｃ）は、図５（ｂ）のＡ−Ａ線における画像信号の輝度の階調値を示したものであり、図５（ｄ）は、図５（ｂ）のＡ−Ａ線における表示画像の発光輝度を示したものである。
【００５４】
図５（ｂ）、図５（ｃ）、図５（ｄ）に示すように、「ウインドウパターン」をパネル１０に表示すると、同じ階調値であるにもかかわらず領域Ｂと領域Ｄとで発光輝度に差が生じることがある。これは、以下のような理由によるものと考えられる。
【００５５】
表示電極対２４は行方向（図面では、横方向）に延長して配列されているため、図５（ｂ）に示すような「ウインドウパターン」を表示した場合、領域Ｂだけを通る表示電極対２４と、領域Ｃと領域Ｄとを通る表示電極対２４とが生じる。そして、領域Ｂを通る表示電極対よりも、領域Ｃと領域Ｄとを通る表示電極対の方が、駆動負荷が小さくなる。これは、領域Ｃの階調値が低いので、その分、領域Ｃと領域Ｄとを通る表示電極対に流れる放電電流の方が、領域Ｂを通る表示電極対に流れる放電電流よりも少なくなるためである。したがって、領域Ｃと領域Ｄとを通る表示電極対では、領域Ｂを通る表示電極対よりも、駆動波形、例えば維持パルス電圧の電圧降下が少なくなる。すなわち、領域Ｃと領域Ｄとを通る表示電極対の方が、領域Ｂを通る表示電極対よりも維持パルス電圧の電圧降下が少なくなり、領域Ｂに含まれる放電セルにおける維持放電よりも、領域Ｄに含まれる放電セルにおける維持放電の方が、放電強度が強くなると考えられる。その結果、同じ階調値であるにもかかわらず領域Ｄの方が領域Ｂよりも発光輝度が上昇するものと考えられる。以下、このような現象を「ローディング」と呼称する。
【００５６】
図６は、ローディング現象を概略的に説明するための図であり、図６（ａ）〜図６（ｄ）は、「ウインドウパターン」における階調値の低い（例えば、５％）領域Ｃの面積を徐々に変更してパネル１０に表示したときの表示画像を概略的に示した図である。なお、図６（ａ）における領域Ｄ１、図６（ｂ）における領域Ｄ２、図６（ｃ）における領域Ｄ３、図６（ｄ）における領域Ｄ４は、それぞれ領域Ｂと同じ階調値（例えば、２０％）であるものとする。
【００５７】
そして、図６（ａ）〜図６（ｄ）に示すように、領域Ｃ１、領域Ｃ２、領域Ｃ３、領域Ｃ４と領域Ｃの面積が大きくなるにつれ、領域Ｃ、領域Ｄを通る表示電極対の駆動負荷は減少し、その結果、領域Ｄに含まれる放電セルの放電強度が強くなって、領域Ｄの発光輝度は、領域Ｄ１、領域Ｄ２、領域Ｄ３、領域Ｄ４と徐々に上昇する。このように、ローディング現象による発光輝度の上昇は一律ではなく、駆動負荷の変動により変化する。本実施の形態では、このローディング現象を軽減し、プラズマディスプレイ装置１における画像表示品質を向上させる。なお、ローディング現象を軽減するために施す処理を、以下、「ローディング補正」と呼称する。
【００５８】
図７は、本発明の一実施の形態におけるローディング補正の概略を説明するための概略図である。なお、図７（ａ）は、図５（ａ）に示した「ウインドウパターン」を、本実施の形態におけるローディング補正を施した後パネル１０に表示したときの表示画像を概略的に示したものである。また、図７（ｂ）は、図７（ａ）のＡ−Ａ線における画像信号の輝度の階調値を示したものであり、図７（ｃ）は、本実施の形態におけるローディング補正を施した後の画像信号のＡ−Ａ線における輝度の階調値を示したものであり、図７（ｄ）は、図７（ａ）のＡ−Ａ線における表示画像の発光輝度を示したものである。
【００５９】
本実施の形態では、各画素毎に、その画素を通る表示電極対の駆動負荷にもとづく補正値を算出して画像信号に補正を加え、輝度の階調値を補正する。例えば、図７（ｂ）に示すように領域Ｂと領域Ｄとでは同じ階調値であるが、領域Ｄを通る表示電極対は領域Ｃも通るため駆動負荷が小さいと判断して、図７（ｃ）に示すように階調値に補正を加えることでローディング補正を行う。これにより、図７（ｄ）に示すように、表示画像における領域Ｂと領域Ｃとの発光輝度を合わせて、ローディング現象を軽減する。
【００６０】
この、本実施の形態におけるローディング補正について詳細に説明する。
【００６１】
図８は、本発明の一実施の形態における画像信号処理回路４１の回路ブロック図である。なお、図８には、本実施の形態におけるローディング補正に関係するブロックを示し、それ以外の回路ブロックは省略している。
【００６２】
画像信号処理回路４１は、点灯画素数算出部６０と、負荷値算出部６１と、補正ゲイン算出部６２と、補正値算出部６３と、減算器６４と、加算器６５と、乱数発生部６６と、切換え部６７と、乗算器６８と、補正部６９とを備えたローディング補正部７０を有する。
【００６３】
点灯画素数算出部６０は、１対の表示電極対上に形成される画素のうち点灯させる画素数を、表示電極対毎、かつサブフィールド毎に算出する。負荷値算出部６１は、点灯画素数算出部６０における算出結果を受け、本実施の形態における駆動負荷算出方法にもとづく演算（本実施の形態では、後述する「負荷値」および「最大負荷値」の算出）を行う。補正ゲイン算出部６２は、負荷値算出部６１における算出結果にもとづき補正ゲインを算出する。補正値算出部６３は、補正ゲイン算出部６２における算出結果にもとづき、補正ゲインに加える補正値を算出する。本実施の形態では、この補正値を、補正ゲインにもとづき変化させるものとする。なお、点灯画素数算出部６０、補正ゲイン算出部６２および補正値算出部６３における、補正ゲインの算出および補正ゲインに加える補正値の詳細については後述する。減算器６４は、補正値算出部６３で算出された補正値を、補正ゲイン算出部６２において算出された補正ゲインから減算する。加算器６５は、補正値算出部６３で算出された補正値を、補正ゲイン算出部６２において算出された補正ゲインに加算する。切換え部６７は、「０」または「１」をランダムに発生する乱数発生部６６からの出力にもとづき、減算器６４からの出力と加算器６５からの出力とのいずれかを選択して出力する。乗算器６８は、切換え部６７から出力される補正値を画像信号に乗算し、補正信号として出力する。そして、補正部６９は、乗算器６８から出力される補正信号を画像信号から減算して、補正後画像信号として出力する。
【００６４】
続いて、本実施の形態における補正ゲインの算出について説明する。本実施の形態では、補正ゲインを算出するために、点灯画素数算出部６０における算出結果にもとづき「負荷値」および「最大負荷値」と呼称する２つのパラメータを算出する。この、「負荷値」および「最大負荷値」は、注目画素におけるローディング現象の発生量を推定するために用いる数値である。ここでは、まず図９を用いて本実施の形態における「負荷値」について説明し、続いて、図１０を用いて本実施の形態における「最大負荷値」について説明する。そして、「負荷値」および「最大負荷値」にもとづく補正ゲインの算出について説明する。
【００６５】
図９は、本発明の一実施の形態における「負荷値」の算出方法を説明するための概略図である。図９（ａ）は、図５（ａ）に示した「ウインドウパターン」をパネル１０に表示したときの表示画像を概略的に示したものである。また、図９（ｂ）は、図９（ａ）のＡ−Ａ線における各画素の点灯・非点灯をサブフィールド毎に示した概略図であり、「１」は点灯を、空欄は非点灯を表す。また、図９（ｃ）は、本実施の形態における「負荷値」の算出方法を概略的に示した図である。なお、ここでは、説明を簡略化するために、行方向の画素数が１５であるものとする。したがって、図９（ａ）のＡ−Ａ線上に、１５個の画素が配置されているものとして以下の説明を行うが、実際には、パネル１０の画素数（例えば、１０２４や１９２０）に合わせて以下の各演算を行う。
【００６６】
図９（ａ）のＡ−Ａ線上に配置された１５個の画素の各サブフィールドにおける点灯状態が、例えば、図９（ｂ）に示すような状態、すなわち、図９（ａ）の領域Ｃに含まれる中央５個の画素においては第１ＳＦから第３ＳＦまでが点灯し第４ＳＦから第１０ＳＦまでは非点灯であり、領域Ｃに含まれない左右５個ずつの画素においては第１ＳＦから第８ＳＦまでが点灯し第９ＳＦおよび第１０ＳＦは非点灯であるものとする。
【００６７】
Ａ−Ａ線上に配置された１５個の画素がこのような点灯状態のとき、例えば、そのうちの１つの画素Ｂにおける「負荷値」は、次のようにして求める。
【００６８】
まず、各サブフィールド毎の点灯画素数を算出する。第１ＳＦから第３ＳＦまではＡ−Ａ線上の１５個の画素全てが点灯しているので、第１ＳＦから第３ＳＦまでの点灯画素数は図９（ｃ）に示すように「１５」となる。また、第４ＳＦから第８ＳＦまではＡ−Ａ線上の１５個の画素のうち１０個の画素が点灯しているので、第４ＳＦから第８ＳＦまでの点灯画素数は図９（ｃ）に示すように「１０」となる。そして、第９ＳＦ、第１０ＳＦではＡ−Ａ線上の１５個の画素全てが非点灯なので、第９ＳＦ、第１０ＳＦの点灯画素数は図９（ｃ）に示すように「０」となる。次に、このようにして求めた各サブフィールドの点灯画素数に、各サブフィールドの輝度重み（例えば、第１ＳＦから順に、１、２、３、６、１１、１８、３０、４４、６０、８１）と、画素Ｂにおける各サブフィールドの点灯状態（ここでは、点灯を１、非点灯を０とする。したがって画素Ｂにおける点灯状態は、第１ＳＦから順に、１、１、１、１、１、１、１、１、０、０となる）をそれぞれ乗算する。その結果の算出値は、第１ＳＦから順に、（１５、３０、４５、６０、１１０、１８０、３００、４４０、０、０）となる。そして、その算出値の総和を求める（ここでは、１１８０となる）。この総和が、画素Ｂにおける「負荷値」となる。本実施の形態では、このようにして、各画素毎に「負荷値」を求める。
【００６９】
図１０は、本発明の一実施の形態における「最大負荷値」の算出方法を説明するための概略図である。図１０（ａ）は、図９（ａ）と同様の図面である。また、図１０（ｂ）は、「最大負荷値」を算出するために、画素Ｂの点灯状態をＡ−Ａ線上の全画素にあてはめたときの点灯・非点灯をサブフィールド毎に示した概略図である。また、図１０（ｃ）は、本実施の形態における「最大負荷値」の算出方法を概略的に示した図である。
【００７０】
本実施の形態においては、「最大負荷値」を次のようにして算出する。例えば、画素Ｂにおける「最大負荷値」を算出する場合には、図１０（ｂ）に示すように、Ａ−Ａ線上の全画素が画素Ｂと同様の状態で点灯しているものとして、各サブフィールド毎の点灯画素数を算出する。画素Ｂにおける各サブフィールドの点灯状態は、第１ＳＦから順に（１、１、１、１、１、１、１、１、０、０）なので、点灯画素数は、図１０（ｃ）に示すように第１ＳＦから順に（１５、１５、１５、１５、１５、１５、１５、１５、０、０）となる。次に、このようにして求めた各サブフィールドの点灯画素数に、各サブフィールドの輝度重み（例えば、第１ＳＦから順に、１、２、３、６、１１、１８、３０、４４、６０、８１）と、画素Ｂにおける各サブフィールドの点灯状態（ここでは、第１ＳＦから順に、１、１、１、１、１、１、１、１、０、０）をそれぞれ乗算する。その結果の算出値は、第１ＳＦから順に、（１５、３０、４５、９０、１６５、２７０、４５０、６６０、０、０）となる。そして、その算出値の総和を求め（ここでは、１７２５）、この総和が、画素Ｂにおける「最大負荷値」となる。本実施の形態では、このようにして、各画素毎に「最大負荷値」を求める。
【００７１】
なお、画素Ｂにおける「最大負荷値」は、表示電極対２４上に形成される全画素数（ここでは、１５）を各サブフィールドの輝度重み（例えば、第１ＳＦから順に、１、２、３、６、１１、１８、３０、４４、６０、８１）にそれぞれ乗算し、その乗算結果と画素Ｂにおける各サブフィールドの点灯状態（ここでは、第１ＳＦから順に、１、１、１、１、１、１、１、１、０、０）をそれぞれ乗算して、その算出値（ここでは、第１ＳＦから順に、１５、３０、４５、９０、１６５、２７０、４５０、６６０、０、０）の総和を求めて算出する構成としてもよい。このような算出方法でも、上述と同様の算出結果（ここでは、１７２５となる）を得ることができる。
【００７２】
そして、本実施の形態では、次式
（最大負荷値−負荷値）／最大負荷値
に、算出した「負荷値」および「最大負荷値」を代入して補正ゲインを算出する。例えば、上述した画素Ｂにおける「負荷値」＝１１８０、「最大負荷値」＝１７２５からは、（１７２５−１１８０）／１７２５＝０．３１５が算出される。以上が、本実施の形態における補正ゲインの算出方法である。そして、各画素毎に、補正ゲインを算出する。
【００７３】
図１１は、本発明の一実施の形態における「負荷値」の他の算出結果を説明する概略図である。図１１（ａ）は、階調値の低い（例えば、５％）領域Ｃの面積が図５（ａ）に示した「ウインドウパターン」よりも拡大された「ウインドウパターン」をパネル１０に表示したときの表示画像を概略的に示したものである。
【００７４】
例えば、図１１（ａ）に示す画素Ｂの「負荷値」は、上述した算出方法にもとづき算出すると、図１１（ｃ）に示すように「８５３」となる。すなわち、図１１に示す画素Ｂの補正ゲインは（１７２５−８５３）／１７２５＝０．５０６となって、図１０に示す画素Ｂの補正ゲイン０．３１５よりも大きくなる。
【００７５】
無補正の場合、図６にも示したように、表示画像における画素Ｂの発光輝度は、図１０に示した「ウインドウパターン」よりも、図１１に示した「ウインドウパターン」の方が大きくなるものと予想される。そして、本実施の形態における補正ゲインの算出方法においては、上述したように「負荷値」および「最大負荷値」を算出しその算出結果にもとづき補正ゲインを算出することで、予想される発光輝度の上昇に応じた補正ゲインを精度良く算出することが可能となる。
【００７６】
本実施の形態では、このようにして求めた補正ゲインにもとづく補正を入力画像信号に施すことで、ローディング補正を行う。このとき、
出力画像信号＝入力画像信号−入力画像信号×補正ゲイン
といった計算式だけで出力画像信号を算出するように構成しても、ローディング現象を低減する効果を得ることは可能である。
【００７７】
しかしながら、この計算式だけにもとづきローディング補正を行うと、画像表示品質を向上させるために一般に用いられている誤差拡散と呼ばれる画像処理を施したときに、階調値の変化点（表示画像の図柄の境界）で拡散される誤差量が増え、輝度の変化が大きい境界部分で境界が強調されて不自然に見えてしまうといった問題が生じることが確認された。
【００７８】
そこで、このような図柄の境界における不自然さを低減するために、本実施の形態では、算出した補正ゲインに、補正値をランダムに加算または減算することで補正ゲインにランダムな変化を与えるものとする。具体的には、図８に示したように、減算器６４において補正ゲインから補正値を減算し、また、加算器６５において補正ゲインに補正値を加算する。そして、切換え部６７において、「０」または「１」をランダムに発生する乱数発生部６６からの出力にもとづき、減算器６４からの出力と加算器６５からの出力とのいずれかを選択して出力する。このような処理を施すことで、誤差拡散を施したときに図柄の境界が強調されて不自然に見えてしまうといった問題を軽減することが可能となる。
【００７９】
一方、補正ゲインに加える補正値を一定値にすると、表示画像におけるノイズ量が増したように見えてしまう（以下、このような見た目のノイズ量を「ノイズ感」と呼称する）ことが確認された。そして、本発明者は、補正ゲインの大きさに応じて補正値の大きさを変更することで、このようなノイズ感を低減させることができることを見出した。そこで、本実施の形態では、補正ゲインの大きさに応じて補正値の大きさを変更しながら補正値を発生させる構成とし、これにより、表示画像におけるノイズ感を低減させるものとする。
【００８０】
図１２は、本発明の一実施の形態における補正ゲインと補正値との関係を示す特性図である。図１２において、横軸は補正ゲインを、縦軸は補正値を表す。
【００８１】
本実施の形態では、図１２に示すように、補正ゲインが０のときに補正値を０とし、補正ゲインが０．７５のときに補正値を０．２とし、かつ補正ゲイン０から補正ゲイン０．７５までは補正値を線形に変化させ、補正ゲインが０．７５以上では補正値を０．２に固定するようにして補正値を発生させる。
【００８２】
そして、図１２に示すように補正ゲインの大きさに応じて補正値の大きさを変更することで、補正値を一定値にした場合と比べて表示画像のノイズ感を低減し、より自然な画像表示が可能となることが確認された。なお、図１２に示した数値は単なる一例を示したものに過ぎず、本実施の形態は何らこれらの数値に限定されるものではない。補正ゲインの大きさに応じた補正値の変更は、パネルの特性、サブフィールド構成、誤差拡散の設定、目的とする画質等に応じて最適に設定すればよい。
【００８３】
以上説明したように、本実施の形態によれば、各画素毎に「負荷値」および「最大負荷値」を算出して補正ゲインを算出し、さらに補正ゲインの大きさに応じて補正値を発生させ、その補正値をランダムに補正ゲインに加算または減算して入力画像信号に補正を施す構成とすることで、誤差拡散といった画像処理を施すような構成であっても、図柄の境界の強調やノイズ感の増大といった表示画像における不自然さを増大させることなく表示輝度を均一にしてローディング現象を低減することが可能となり、プラズマディスプレイ装置１における画像表示品質の向上を実現することができる。
【００８４】
なお、図１２では、補正ゲインに応じて補正値を線形に変化させる構成を説明したが、本発明は何らこの構成に限定されるものではない。図１３は、本発明の一実施の形態における補正ゲインと補正値との関係の他の一例を示す特性図である。例えば、図１３に示すように、補正ゲインに応じて階段状に補正値が変化する構成であってもよい。このような構成であっても、上述した効果と同様の効果が得られることが確認された。
【００８５】
なお、図６（ａ）〜図６（ｄ）では、駆動負荷の変動により発光輝度が変化する例を説明したが、パネルの特性によってはローディング現象が発生するときに必ずしも発光輝度が線形に変化しないものもある。図１４は、図６に示した「ウインドウパターン」における領域Ｃの面積と領域Ｄの発光輝度との関係の一例を示した図であるが、パネルによっては、領域Ｃの面積が大きくなったとき（例えば、図面のＣ４）、すなわち表示電極対の駆動負荷が小さくなったときに、ローディング現象が極端に悪化し、領域Ｄの発光輝度が大きく上昇（例えば、図面のＤ４）する場合がある。このようなパネルの特性に合わせて補正ゲインに重み付けを持たせ、補正ゲインを非線形に変化させる構成としてもよい。図１５は、本発明の一実施の形態における補正ゲインの非線形処理の一例を示す特性図であるが、例えば、パネル１０の特性に合わせて設定した複数の補正ゲインをあらかじめルックアップテーブルに格納しておき、補正ゲインの計算結果にもとづきルックアップテーブルから補正ゲインを読み出す構成とすることで、図１５に示すように補正ゲインを非線形に設定することが可能である。
【００８６】
なお、本発明における実施の形態は、走査電極ＳＣ１〜走査電極ＳＣｎを第１の走査電極群と第２の走査電極群とに分割し、書込み期間を、第１の走査電極群に属する走査電極のそれぞれに走査パルスを印加する第１の書込み期間と、第２の走査電極群に属する走査電極のそれぞれに走査パルスを印加する第２の書込み期間とで構成する、いわゆる２相駆動によるパネルの駆動方法にも適用させることができ、上述と同様の効果を得ることができる。
【００８７】
なお、本発明における実施の形態は、走査電極と走査電極とが隣り合い、維持電極と維持電極とが隣り合う電極構造、すなわち前面板２１に設けられる電極の配列が、「・・・走査電極、走査電極、維持電極、維持電極、走査電極、走査電極、・・・」となる電極構造（以下、「ＡＢＢＡ電極構造」と呼称する）のパネルにおいても、有効である。
【００８８】
なお、本実施の形態において示した具体的な各数値は、表示電極対数１０８０の４２インチのパネルの特性にもとづき設定したものであって、単に実施の形態の一例を示したものに過ぎない。本発明はこれらの数値に何ら限定されるものではなく、パネルの特性やプラズマディスプレイ装置の仕様等に合わせて最適に設定することが望ましい。また、これらの各数値は、上述した効果を得られる範囲でのばらつきを許容するものとする。
【産業上の利用可能性】
【００８９】
本発明は、表示画像における不自然さを増大させることなく表示輝度を均一にして画像表示品質を向上させることができるので、プラズマディスプレイ装置として有用である。
【図面の簡単な説明】
【００９０】
【図１】本発明の一実施の形態におけるパネルの構造を示す分解斜視図
【図２】同パネルの電極配列図
【図３】同パネルの各電極に印加する駆動電圧波形図
【図４】本発明の一実施の形態におけるプラズマディスプレイ装置の回路ブロック図
【図５】駆動負荷の変化により生じる発光輝度の差を説明するための概略図
【図６】ローディング現象を概略的に説明するための図
【図７】本発明の一実施の形態におけるローディング補正の概略を説明するための概略図
【図８】本発明の一実施の形態における画像信号処理回路の回路ブロック図
【図９】本発明の一実施の形態における「負荷値」の算出方法を説明するための概略図
【図１０】本発明の一実施の形態における「最大負荷値」の算出方法を説明するための概略図
【図１１】本発明の一実施の形態における「負荷値」の他の算出結果を説明する概略図
【図１２】本発明の一実施の形態における補正ゲインと補正値との関係を示す特性図
【図１３】本発明の一実施の形態における補正ゲインと補正値との関係の他の一例を示す特性図
【図１４】ウインドウパターンにおける領域Ｃの面積と領域Ｄの発光輝度との関係の一例を示した図
【図１５】本発明の一実施の形態における補正ゲインの非線形処理の一例を示す特性図
【符号の説明】
【００９１】
１    プラズマディスプレイ装置
１０    パネル
２１    （ガラス製の）前面板
２２    走査電極
２３    維持電極
２４    表示電極対
２５，３３    誘電体層
２６    保護層
３１    背面板
３２    データ電極
３４    隔壁
３５    蛍光体層
４１    画像信号処理回路
４２    データ電極駆動回路
４３    走査電極駆動回路
４４    維持電極駆動回路
４５    タイミング発生回路
６０    点灯画素数算出部
６１    負荷値算出部
６２    補正ゲイン算出部
６３    補正値算出部
６４    減算器
６５    加算器
６６    乱数発生部
６７    切換え部
６８    乗算器
６９    補正部
７０    ローディング補正部
【図１】
2009186715.tif 000003
【図２】
2009186715.tif 000004
【図３】
2009186715.tif 000005
【図４】
2009186715.tif 000006
【図５】
2009186715.tif 000007
【図６】
2009186715.tif 000008
【図７】
2009186715.tif 000009
【図８】
2009186715.tif 000010
【図９】
2009186715.tif 000011
【図１０】
2009186715.tif 000012
【図１１】
2009186715.tif 000013
【図１２】
2009186715.tif 000014
【図１３】
2009186715.tif 000015
【図１４】
2009186715.tif 000016
【図１５】
2009186715.tif 000017